(57)【特許請求の範囲】
【請求項１】
ガスメータにおいて、
ボディ本体と、
前記ボディ本体の上面に配置されてガスを流入させるためのガス流入口、及び前記ボディ本体の下面に配置されてガスを流出させるためのガス流出口を各々に有すると共に前記ボディ本体の内部で相互に全て独立して直線状に延びる複数のガス流路と、
を有することを特徴とするガスメータ。
【請求項２】
前記ガス流路の各々に設けられ、それぞれがガス流路を流れるガスの流れを計測する複数の計測部と、
前記複数のガス流路毎に、前記計測部によって計測された計測結果を処理する制御部と、
を有することを特徴とする請求項１に記載されたガスメータ。
【請求項３】
前記ボディ本体の正面に配置され、情報を表示する表示部をさらに有することを特徴とする請求項１又は２に記載されたガスメータ。
【発明の詳細な説明】
【技術分野】
【０００１】
本発明は、ガスメータに関する。
【背景技術】
【０００２】
従来より、超音波式などの流速センサとマイクロコンピュータとを備えたガスメータが知られている。マイクロコンピュータは、流速センサにより計測されたガスの流速からガスの流量（瞬時流量）を演算し、この瞬時流量からガスの積算流量を演算する。演算された積算流量は、例えばガスメータが備える表示パネルを介して利用者又は検針員に提示される。
【０００３】
例えば特許文献１に示すように、ガスメータは堅牢な筐体（ボディ本体）を備え、当該筐体にはガス供給源と接続されるガス流入口と燃焼器等と接続されるガス流出口とが設けられている。ボディ本体の内部にはガス流入口からガス流出口へと至るガス流路が形成されており、当該ガス流路にはガスの流れを計測する計測部（例えば流速センサ）が配置されている。
【先行技術文献】
【特許文献】
【０００４】
【特許文献１】特開２０１５−１４８５２５号公報
【発明の概要】
【発明が解決しようとする課題】
【０００５】
ところで、従来型のガスメータは、ガス供給先（ガス契約者）に対して１個のガスメータ（その筐体）を設置するようなつくりとなっている。そのため、二世帯住宅や複数の世帯が住居する集合住宅といった場合には、ガス供給先に応じた数のガスメータ（その筐体）を設置しなければならなかった。このため、例えば空間効率の低下や外観上の見栄えが悪いなどの不都合があった。
【０００６】
本発明はかかる事情に鑑みてなされたものであり、その目的は、新規な構成を備えたガスメータを提供する。
【課題を解決するための手段】
【０００７】
かかる課題を解決するために、本発明は、ガスメータにおいて、ボディ本体と、ボディ本体の上面に配置されてガスを流入させるためのガス流入口、及びボディ本体の下面に配置されてガスを流出させるためのガス流出口を各々に有すると共にボディ本体の内部で相互に全て独立して直線状に延びる複数のガス流路と、を有することを特徴とするガスメータを提供する。
【０００８】
ここで、本発明において、ガス流路の各々に設けられ、それぞれがガス流路を流れるガスの流れを計測する複数の計測部と、複数のガス流路毎に、計測部によって計測された計測結果を処理する制御部と、を有することが好ましい。
【０００９】
また、本発明は、ボディ本体の正面に配置され、情報を表示する表示部をさらに有することが好ましい。
【発明の効果】
【００１０】
本発明によれば、新規な構成を備えたガスメータを提供することができる。これにより、空間効率の低下や外観上の見栄えの悪さなどを抑制することができる。
【図面の簡単な説明】
【００１１】
【図１】第１の実施形態に係るガスメータの構成を示す斜視図
【図２】第１の実施形態に係るガスメータの構成を示す正面図
【図３】第１の実施形態に係るガスメータの構成を模式的に示す説明図
【図４】第１の実施形態の変形例に係るガスメータの構成を示す正面図
【図５】第２の実施形態に係るガスメータの構成を模式的に示す正面図
【図６】第２の実施形態に係るガスメータの構成を模式的に示す説明図
【発明を実施するための形態】
【００１２】
（第１の実施形態）
図１は、本実施形態に係るガスメータ１の構成を示す斜視図である。図２は、本実施形態に係るガスメータ１の構成を示す正面図である。図３は、本実施形態に係るガスメータ１の構成を模式的に示す説明図である。本実施形態に係るガスメータ１は、ガス供給元からガス供給先にガスを供給する供給路上に配置され、ガス供給先で使用されたガスの流量などを演算し、積算流量などを表示するものである。
【００１３】
ガスメータ１は、アルミニウムやアルミニウム合金などの金属材料により成形された筐体であるボディ本体１０を備えている。ボディ本体１０は、正面視で略四角となるボックス形状を有している。
【００１４】
ボディ本体１０は、その上面１０ａに２つのガス流入口１１ａ，１１ｂと、その下面１０ｂに２つのガス流出口１２ａ，１２ｂとを備えている。ガス流入口１１ａ，１１ｂは、上流側配管２００ａ，２００ｂを介してガス供給元と接続され、ガス流出口１２ａ，１２ｂは、下流側配管２０１ａ，２０１ｂを介してガス供給先と接続される。
【００１５】
ボディ本体１０の内部には、ガス流入口１１ａ，１１ｂからガス流出口１２ａ，１２ｂに至る２つのガス流路１３ａ，１３ｂが形成されている。本実施形態では、ガス流入口１１ａ，１１ｂの個数とガス流出口１２ａ，１２ｂの個数とは一対一で対応しており、２つのガス流路１３ａ，１３ｂは相互に独立した流路で構成されている。個々のガス流路１３ａ，１３ｂは、ガスの入口側（ガス流入口１１ａ，１１ｂ）からガスの出口側（ガス流出口１２ａ，１２ｂ）にかけて、上下方向に直線状に延在するストレート形状とされており、２つのガス流路１３ａ，１３ｂは、所定の距離を隔てて平行している。
【００１６】
このように、ガスメータ１は、１つのボディ本体１０に２組のガス流路１３ａ，１３ｂ（２組のガス流入口１１ａ，１１ｂ及びガス流出口１２ａ，１２ｂ）を備える構造を採用しており、１つのガスメータ１（ボディ本体１０）で２つのガス供給先へとガスを供給することができるようになっている。
【００１７】
このような筐体構成を備えるガスメータ１は、表示パネル２、復帰ボタン４ａ，４ｂ、流速センサ５ａ，５ｂ、圧力センサ６ａ，６ｂ、遮断弁７ａ，７ｂ、通信部８及びマイコン（マイクロコンピュータ）１００を主体に構成されている。また、ガスメータ１は、その内部に電源となる電池（図示せず）を搭載しており、当該電池の電力により動作する。ガスメータ１を構成するこれらの要素のうち、復帰ボタン４ａ，４ｂ、流速センサ５ａ，５ｂ、圧力センサ６ａ，６ｂ、及び遮断弁７ａ，７ｂは、ガス流路１３ａ，１３ｂの個数に対応して２つずつ用意されている。
【００１８】
表示パネル２は、ガスメータ１の正面に配置されており、例えばＬＣＤ等で構成されている。表示パネル２は、マイコン１００に制御され、マイコン１００によって処理された情報を表示する。表示パネル２に表示される代表的な情報は、積算流量である。この表示パネル２は、２つのガス供給先、すなわち、２つのガス流路１３ａ，１３ｂに関する情報をそれぞれ表示する２つの表示領域２０ａ，２０ｂが用意されている。また、個々の表示領域２０ａ，２０ｂの近傍には、表示される情報が２つのガス流路１３ａ，１３ｂのどちらのものであるかを示すためのマーク２１ａ，２１ｂが形成されている。マーク２１ａ，２１ｂは、例えば印刷などの手法により表示パネル２の表面に形成されており、情報を表示するガス流路１３ａ，１３ｂを最大角で指し示す鈍角三角形で構成されている。
【００１９】
なお、マーク２１ａ，２１ｂは、印刷で形成する以外にも表示パネル２の表示によるものであってもよく、また、表示される情報がどちらのガス流路１３ａ，１３ｂに対応するものであるかを識別することができるのであれば、いかなる態様のものであってもよい。また、表示パネル２は、個々のガス流路１３ａ，１３ｂに対応して２つの表示領域２０ａ，２０ｂを用意しているが、一つの表示領域のみを用意し、表示対象となるガス流路１３ａ，１３ｂを選択できるようにした上で、個々のガス流路１３ａ，１３ｂの情報を択一的に表示するものであってもよい（詳細については第２の実施形態を参照）。
【００２０】
個々の復帰ボタン４ａ，４ｂは、ガスメータ１の正面に配置されている。復帰ボタン４ａ，４ｂは、例えば表示パネル２と重畳的に配置されたタッチパネルなどで構成されている。復帰ボタン４ａ，４ｂは、２つの表示領域２０ａ，２０ｂの近傍に配置されており、上述のマーク２１ａ，２１ｂを利用して、その復帰ボタン４ａ，４ｂがいずれのガス流路１３ａ，１３ｂに対応するものであるかを識別することができるようになっている。復帰ボタン４ａ，４ｂは、マイコン１００と電気的に接続されており、当該復帰ボタン４が操作されると、その操作信号がマイコン１００に入力される。
【００２１】
復帰ボタン４ａ，４ｂは、遮断弁７ａ，７ｂの閉弁時に操作（例えば長押し操作）することで、遮断弁７ａ，７ｂを開弁動作させるものである。例えば、地震時やガス漏れ判断時、ガスメータ１は遮断弁７ａ，７ｂを閉弁させ、ガスの遮断を行う。一方、地震やガス漏れ等の問題解決時には、復帰ボタン４を操作することで、遮断弁７ａ，７ｂが開弁されてガスの使用を再開することができる。
【００２２】
また、この復帰ボタン４ａ，４ｂは、遮断弁７ａ，７ｂを開弁動作させる以外にも、ガスメータ１を操作するための操作部として機能する。例えば、復帰ボタン４ａ，４ｂを操作（例えば短押し操作）することで、ガスメータ１が保有する各種のデータ（積算流量や瞬時流量など）を表示パネル２に表示することができる。
【００２３】
なお、復帰ボタン４ａ，４ｂは、タッチパネルで構成する以外にも、機械式スイッチなどで構成してもよい。また、遮断対象となるガス流路１３ａ，１３ｂを選択できるような構成であれば、一つの復帰ボタンのみで構成してもよい（詳細については第２の実施形態を参照）。
【００２４】
流速センサ５ａ，５ｂは、ガスメータ１内部のガス流路１３ａ，１３ｂに設けられている。流速センサ５ａ，５ｂは、ガス流路１３ａ，１３ｂを通過するガスの流れ（具体的には流速）を計測し、その流速に応じた信号を出力する。流速センサ５ａ，５ｂから出力される信号は、マイコン１００に入力される。流速センサ５ａ，５ｂとしては、例えば超音波式センサやフローセンサなどを用いることができる。
【００２５】
圧力センサ６ａ，６ｂは、ガスメータ１内部のガス流路１３ａ，１３ｂに設けられている。圧力センサ６ａ，６ｂは、ガス流路１３ａ，１３ｂ内におけるガス圧力を計測し、その圧力に応じた信号を出力する。圧力センサ６ａ，６ｂから出力される信号は、マイコン１００に入力される。圧力センサ６ａ，６ｂとしては、ピエゾ抵抗式や静電容量式などのセンサを用いることができる。
【００２６】
遮断弁７ａ，７ｂは、ガスメータ１内部のガス流路１３ａ，１３に設けられており、当該流路におけるガスを遮断するものである。
【００２７】
通信部８は、ガスメータ１のマイコン１００が外部機器（設定器、検針用機器やセンターの機器）と通信するためのものである。通信部８は、各種信号が入出力される端子（例えば、電話回線用のＮライン端子、ガス漏れ警報器と接続するため端子、一酸化炭素警報器と接続するための端子など）を備えた端子台や、電波や光を利用した無線式の通信機器などで構成することができる。
【００２８】
マイコン１００は、ガスメータ１の制御を行う制御部である。マイコン１００は、ＣＰＵ１００ａと、ＲＯＭ１００ｂと、ＲＡＭ１００ｃとを主体に構成されている。ＣＰＵ１００ａは、ガスメータ１の全体的な制御を司る。ＲＯＭ１００ｂは、ＣＰＵ１００ａがアクセス可能な読み出し専用メモリであり、ＣＰＵ１００ａが実行すべきプログラムや各種のデータを保持している。ＲＡＭ１００ｃは、データの読み出し及び書き込みが自在なメモリであり、ＣＰＵ１００ａの制御により、ガスメータ１の動作中に生成された様々なデータを記憶する。マイコン１００は、例えば制御基板１０１に実装され、当該制御基板１０１はボディ本体１０の内部に収容されている。
【００２９】
以下、ガスメータ１の動作を説明する。このガスメータ１の動作は、マイコン１００により実現される。マイコン１００は、流速センサ５ａ，５ｂや圧力センサ６ａ，６ｂによって計測された計測結果を処理する。マイコン１００による各種の処理は、ガス流路１３ａ，１３ｂ毎に行われる。
【００３０】
例えば、マイコン１００は、流速センサ５ａ，５ｂから出力される流速データにガス流路１３ａ，１３ｂの断面積を乗じてガスの流量（瞬時流量）を演算する。そして、マイコン１００は、演算されたガスの流量を積算することで積算流量を演算する。
【００３１】
また、マイコン１００は、復帰ボタン４ａ，４ｂの操作（例えば短押し操作）を判断すると、表示パネル２の表示領域２０ａ，２０ｂに積算流量を表示する。また、マイコン１００は、積算流量の表示中に復帰ボタン４ａ，４ｂの再操作（例えば長押し操作）を判断すると、異なるデータ（例えば瞬時流量）を表示する。
【００３２】
さらに、マイコン１００は、流量の変化、圧力センサ６ａ，６ｂにおいて計測される圧力の変化、又は所定の揺れを検出した場合に感震信号を出力する感震器（図示せず）からの信号に基づいて所定の遮断条件を満たした場合に、遮断弁７ａ，７ｂを制御して、ガスを遮断する。
【００３３】
このように本実施形態に係るガスメータ１は、筐体であるボディ本体１０と、このボディ本体１０の内部に形成され、それぞれにガスが流れる２つのガス流路１３ａ，１３ｂを備えている。
【００３４】
この構成によれば、１つのボディ本体１０に２つのガス流路１３ａ，１３ｂが形成されているので、２つのガス供給先を１つのガスメータ１で賄うことができる。これにより、ガス供給先の数に応じてガスメータをそれぞれ設置する必要がない。その結果、空間効率の向上を図ることができるとともに、設置状態の美観の向上を図ることができる。
【００３５】
また、本実施形態において、ガスメータ１は、ガス流路１３ａ，１３ｂの各々に設けられ、それぞれがガス流路１３ａ，１３ｂを流れるガスの流れを計測する複数の流速センサ５ａ，５ｂと、複数のガス流路１３ａ，１３ｂ毎に流速センサ５ａ，５ｂによって計測された計測結果を処理するマイコン（制御部）１００とを有している。
【００３６】
この構成によれば、２つのガス流路１３ａ，１３ｂについて行われる処理を１つのマイコン１００で行うことができるので、マイコン１００を共用することが可能である。これにより、二世帯住宅や集合住宅へのガスメータ設置に伴うトータルコストの削減を図ることができる。
【００３７】
また、本実施形態において、ガスメータ１は、ボディ本体１０の正面に配置され、情報を表示する表示パネル２（表示部）をさらに有している。
【００３８】
この構成によれば、２つのガス流路１３ａ，１３ｂについての情報の表示を１つの表示パネル２で行うことができるので、表示パネル２を共用することが可能である。これにより、二世帯住宅や集合住宅へのガスメータ設置時に伴うトータルコストの削減を図ることができる。また、１つの表示パネル２とすることで、シンプルな外観となり、意匠性の向上を図ることができる。
【００３９】
また、本実施形態において、表示パネル２は、２つのガス流路１３ａ，１３ｂの間に挟まれるように配置されている。
【００４０】
この構成によれば、ガス流路１３ａ，１３ｂの中央に表示パネル２がバランスよく位置付けられるので、意匠性の向上を図ることができる。また、ボディ本体１０の中央に表示パネル２が配置されるので、見栄えのよいデザインとすることができる。
【００４１】
同様に、本実施形態によれば、通信部８や電池を共用することが可能であり、これにより、二世帯住宅や集合住宅へのガスメータ設置時に伴うトータルコストの削減を図ることができる。
【００４２】
また、本実施形態において、２つのガス流路１３ａ，１３ｂは、相互に独立した流路で構成されている。
【００４３】
この構成によれば、ガス流路１３ａ，１３ｂが相互に独立しているので、個々のガス流路１３ａ，１３ｂにおけるガスの流れの計測を精度よく行うことができる。これにより、ガスメータ１の信頼性の向上を図ることができる。
【００４４】
また、本実施形態において、個々のガス流路１３ａ，１３ｂは、上下方向に直線状に延在するストレート形状とされている。
【００４５】
この構成によれば、ガス流入口１１ａ，１１ｂからガス流出口１２ａ，１２ｂに至るまでにガスの流れに乱れが生じ難い構成となる。これにより、ガスの流れの計測を精度よく行うことができ、ガスメータ１の信頼性の向上を図ることができる。また、この流路構造によれば、ボディ本体１０の大型化を抑制することができる。
【００４６】
図４は、第１の実施形態の変形例に係るガスメータ１の構成を示す正面図である。上述した実施形態では、２つのガス流路１３ａ，１３ｂがそれぞれ独立して構成されている。しかしながら、２つのガス流路１３ａ，１３ｂは、ガスの入口側において集合し、ガスの出口側にかけて分岐する流路であってもよい。この場合においては、ボディ本体１０には、ガス流入口１１が一つだけ設けられる。
【００４７】
この構成によれば、ボディ本体１０のガス流入口１１を一つ設ければよいので、ガスメータ１の外観形状をシンプルなものにすることができる。また、上流側配管も一つで足りるので、設置作業の簡素化や、設置状態におけるガスメータ１及びその周辺の美観の向上を図ることができる。なお、本明細書では、２つのガス流路１３ａ，１３ｂという状態を、ガスの出口側（ガス流出口１２ａ，１２ｂ）における流路状態をもって定義するものである。
【００４８】
（第２の実施形態）
図５は、本実施形態に係るガスメータ１の構成を模式的に示す正面図である。また、図６は、本実施形態に係るガスメータ１の構成を模式的に示す説明図である。この第２の実施形態に係るガスメータ１が、第１の実施形態のそれと相違する点は、４つのガス流路を備えることである。第１の実施形態と共通する構成については説明を省略し、以下、相違点を中心に説明を行う。
【００４９】
ガスメータ１は、アルミニウムやアルミニウム合金などの金属材料により成形された筐体であるボディ本体１０を備えている。ボディ本体１０は、正面視で左右方向に横長な略矩形となるボックス形状を有している。
【００５０】
ボディ本体１０は、その上面１０ａに４つのガス流入口１１ａ〜１１ｄと、その下面１０ｂに４つのガス流出口１２ａ〜１２ｄとを備えている。ガス流入口１１ａ〜１１ｄは、上流側配管（図示せず）を介してガス供給元と接続され、ガス流出口１２ａ〜１２ｄは、下流側配管（図示せず）を介してガス供給先と接続される。
【００５１】
ボディ本体１０の内部には、ガス流入口１１ａ〜１１ｄからガス流出口１２ａ〜１２ｄに至る４つのガス流路１３ａ〜１３ｄが形成されている。本実施形態では、ガス流入口１１ａ〜１１ｄの個数とガス流出口１２ａ〜１２ｄの個数とは一対一で対応しており、４つのガス流路１３ａ〜１３ｄは、相互に独立した流路で構成されている。この場合において、個々のガス流路１３ａ〜１３ｄは、ガスの入口側（ガス流入口１１ａ〜１１ｄ）からガスの出口側（ガス流出口１２ａ〜１２ｄ）にかけて、上下方向に直線状に延在するストレート形状とされており、４つのガス流路１３ａ〜１３ｄは、所定の距離を隔てて平行している。
【００５２】
また、本実施形態では、ボディ本体１０の正面には、４つのガス流路１３ａ〜１３ｄを識別するための４つの符号１４ａ〜１４ｄが形成されている。例えば、符号１４ａ〜１４ｄは「１」〜「４」までの数字で構成されており、ボディ本体１０の正面に印刷などの手法で形成されている。
【００５３】
このように、ガスメータ１は、１つのボディ本体１０に４組のガス流路１３ａ〜１３ｄ（４組のガス流入口１１ａ〜１１ｄ及びガス流出口１２ａ〜１２ｄ）を備える構造を採用しており、１つのガスメータ１（ボディ本体１０）で４つのガス供給先へとガスを供給することができるようになっている。
【００５４】
このような筐体構成を備えるガスメータ１は、表示パネル２、復帰ボタン４、流速センサ５ａ〜５ｄ、圧力センサ６ａ〜６ｄ、遮断弁７ａ〜７ｄ、通信部８及びマイコン１００を主体に構成されている。また、ガスメータ１は、その内部に電源となる電池（図示せず）を搭載しており、当該電池の電力により動作する。ガスメータ１を構成するこれらの要素のうち、流速センサ５ａ〜５ｄ、圧力センサ６ａ〜６ｄ、及び遮断弁７ａ〜７ｄは、ガス流路１３ａ〜１３ｄの個数に対応して４つずつ用意されている。
【００５５】
表示パネル２は、ガスメータ１の正面に配置されており、例えばＬＣＤ等で構成されている。表示パネル２は、マイコン１００に制御され、マイコン１００によって処理された情報を表示する。表示パネル２に表示される代表的な情報は、積算流量である。この表示パネル２は、４つのガス供給先、すなわち、４つのガス流路１３ａ〜１３ｄに関する情報のうち任意のガス流路１３ａ〜１３ｄに関する情報を択一的に表示する第１の表示領域２０ｃと、ガス流路１３ａ〜１３ｄの番号（符号１４ａ〜１４ｄ）を表示する第２の表示領域２０ｄとで構成されている。この第２の表示領域２０ｄの表示を参照することで、現在、どのガス流路１３ａ〜１３ｄに関する情報が第１の表示領域２０ｃに表示されているのかを識別することができる。
【００５６】
復帰ボタン４は、ガスメータ１の正面に配置されている。復帰ボタン４は、例えば表示パネル２と重畳的に配置されたタッチパネルなどで構成されている。この場合において、第２の表示領域２０ｄに表示される番号（符号１４ａ〜１４ｄ）は、復帰ボタン４の操作により、どの遮断弁７ａ〜７ｄを開弁動作させることができるのかを示している。
【００５７】
また、この復帰ボタン４は、遮断弁７ａ〜７ｄを開弁動作させる以外にも、ガスメータ１を操作するための操作部として機能する。例えば、遮断弁７ａ〜７ｄの開弁時、復帰ボタン４ａ，４ｂを操作（例えば長押し操作）することで、第２の表示領域２０ｄに表示される番号（符号１４ａ〜１４ｄ）を切り替えることができる。そして、復帰ボタン４ａ，４ｂを操作（例えば短押し操作）することで、番号に該当するガス流路１３ａ〜１３ｄについてガスメータ１が保有する各種のデータ（積算流量や瞬時流量など）を表示パネル２に表示することができる。
【００５８】
このように本実施形態によれば、ガスメータ１は、筐体であるボディ本体１０と、このボディ本体１０の内部に形成され、それぞれにガスが流れる４つのガス流路１３ａ〜１３ｄを備えている。
【００５９】
この構成によれば、１つのボディ本体１０に４つのガス流路１３ａ〜１３ｄが形成されているので、４つのガス供給先を１つのガスメータ１で対応することができる。これにより、ガス供給先の数に応じてガスメータをそれぞれ設置する必要がない。その結果、第１の実施形態と同様に、空間効率の向上を図ることができるとともに、設置状態の美観の向上を図ることができる。
【００６０】
なお、本実施形態において、４つのガス流路１３ａ〜１３ｄとの状態は、ガスの出口側（ガス流出口１２ａ〜１２ｄ）における流路状態をもって定義するものである。したがって、ガスの入口側において集合し、ガスの出口側にかけて分岐する流路形状としてもよい。例えば、ガスの入口側において、２組のガス流路１３ａ〜１３ｄがそれぞれ集合したり、４組のガス流路１３ａ〜１３ｄがすべて集合したりするような形態であってもよい。
【００６１】
また、本実施形態おいて、ガスメータ１は、一つの復帰ボタン４を備える構成となっている。このマイコン１００は、復帰ボタン４の操作に応じて、開弁動作又は情報表示の対象となるガス流路１３ａ〜１３ｄを切り替えている。
【００６２】
この構成によれば、復帰ボタン４が一つで足りるので、構成の簡素化を図ることができる。また、開弁動作又は情報表示の対象となるガス流路１３ａ〜１３ｄを切り替えられるので、必要な情報表示及び動作を過不足なく実現することができる。
【００６３】
以上、本発明の実施形態にかかるガスメータについて説明したが、本発明は上述した実施形態に限定されることなく、その発明の範囲内において種々の変形が可能であることはいうまでもない。例えば、ガスメータは、１つのボディ本体に複数のガス流路を備えるものであればよく、その数が制限されるものではない。また、ガス流路の方向は上下方向以外にも左右方向であってもよく、ガス流入口とガス流出口との位置関係が逆であってもよい。
【符号の説明】
【００６４】
１    ガスメータ
１０    ボディ本体
１１，１１ａ〜１１ｄ  ガス流入口
１２ａ〜１２ｄ  ガス流出口
１３ａ〜１３ｄ  ガス流路
２    表示パネル（表示部）
４，４ａ，４ｂ  復帰ボタン
５ａ〜５ｄ  流速センサ（計測部）
６ａ〜６ｄ  圧力センサ
７ａ〜７ｄ  遮断弁
８    通信部
１００    マイコン（制御部）
１０１    制御基板
【図１】
0006632893.tif 000002
【図２】
0006632893.tif 000003
【図３】
0006632893.tif 000004
【図４】
0006632893.tif 000005
【図５】
0006632893.tif 000006
【図６】
0006632893.tif 000007